(57)【要約】【課題】２個の異なるＮＡの対物レンズを備えた光ピックアップであって、対物レンズ及び対物レンズホルダに製造及び（又は）組み立て時の誤差が生じても、簡単な操作で調整することでＣＤ、ＤＶＤ、ＢＤ等の複数の光ディスクメディアの記録／再生の精度を高めることができる光ピックアップを提供することができる。【解決手段】２個の対物レンズ３８、４８と、２個の対物レンズ３８、４８が保持された対物レンズホルダと２４を有し、対物レンズホルダ２４は下面から上面に貫通し、上部に前記２個の対物レンズ３８、４８が離れて取り付けられている２個の取付孔２４１、２４２を有しており、取付孔２４１には対物レンズ３８を支持するとともに、チルト量をするために、１個の固定型レンズ受け部２４６と、２個の可動型レンズ受け部２４７とを有し、可動型レンズ受け部２４７は、取付孔２４１の上部に貫通する貫通孔２４７１と、貫通孔２４７１に摺動可能に内挿された柱状部材２４７２とを有し、柱状部材２４７２は接着剤にて固定される。【選択図】図５
2008090945.tif 000002
【特許請求の範囲】
【請求項１】
赤外レーザ光を出射する赤外レーザ光源と、
赤色レーザ光を出射する赤色レーザ光源と、
青色レーザ光を出射する青色レーザ光源と、
前記赤外レーザ光又は前記赤色レーザ光を収束させてＣＤメディア又はＤＶＤメディアの記録面に照射する第１対物レンズと、
前記青色レーザ光を収束させてブルーレイディスクメディアの記録面に照射する第２対物レンズと、
前記第１対物レンズと前記第２対物レンズを保持するとともにトラッキング方向、フォーカス方向に移動可能な対物レンズホルダと、
前記対物レンズホルダを前記トラッキング方向に駆動する推力を発生するトラッキングコイルと、
前記対物レンズホルダを前記フォーカス方向に駆動する推力を発生するフォーカスコイルと、
前記対物レンズホルダを弾性支持するとともに前記トラッキングコイル及び前記フォーカスコイルに電力を供給する弾性支持部材とを備えた光ピックアップであって、
前記対物レンズホルダは、下面から上面に貫通し上部に前記第１対物レンズが取り付けられる第１取付孔と、下面から上面に貫通し上部に前記第２対物レンズが取り付けられる第２取付孔とを有しており、
前記第１取付孔は前記第１対物レンズの下面を支持するとともに、該第１対物レンズのチルト角を調整するチルト量調整機構を有しており、
前記チルト量調整機構は前記第１取付孔の内周面に突出するように固定された１個の固定型レンズ受け部と、前記固定レンズ受け部から等中心角度離れた位置に配置され、前記第１取付孔に沿う方向に摺動可能な２個の可動型レンズ受け部とを有しており、
前記可動型レンズ受け部は前記レンズホルダの下面から前記第１取付孔の上部に貫通する円筒形状の貫通孔と、前記貫通孔に軽圧入された円柱部材を有しており、
前記貫通孔には、前記円柱部材を下方から固定する接着剤が設けられていることを特徴とする光ピックアップ。
【請求項２】
異なる開口数を有する２個の対物レンズと、
前記２個の対物レンズが保持された対物レンズホルダとを有する光ピックアップであって、
前記対物レンズホルダは下面から上面に貫通し、上部に前記２個の対物レンズが離れて取り付けられている２個の取付孔を有しており、
一方の取付孔には該取付孔に取り付けられる対物レンズの下面を支持するとともに、該対物レンズの角度を調整するチルト量調整機構が備えられており、
前記チルト量調整機構は、１個の固定型レンズ受け部と、前記取付孔に沿った方向に摺動する複数個の可動型レンズ受け部とを有しており、
前記可動型レンズ受け部は、前記レンズホルダの下面から前記一方の取付孔の上部に貫通する貫通孔と、前記貫通孔に摺動可能に内挿された柱状部材とを有しており、
前記柱状部材は接着剤にて前記貫通孔に固定されることを特徴とする光ピックアップ。
【請求項３】
前記チルト量調整機構は１個の固定型レンズ受け部と、２個の可動型レンズ受け部とを有していることを特徴とする請求項２に記載の光ピックアップ。
【請求項４】
前記貫通孔は円筒形状であり、前記柱状部材は円柱形状を有していることを特徴とする請求項２又は請求項３に記載の光ピックアップ。
【請求項５】
前記柱状部材は前記貫通孔に軽圧入されていることを特徴とする請求項２から請求項４のいずれかに記載の光ピックアップ。
【請求項６】
前記貫通孔の内周部には雌ねじが形成されており、前記柱状部材の外周部には雄ねじが形成されており、前記柱状部材は前記貫通孔と螺合することを特徴とする請求項４に記載の光ピックアップ。
【請求項７】
前記柱状部材は前記貫通孔に遊嵌されていることを特徴とする請求項２から請求項４のいずれかに記載の光ピックアップ。
【請求項８】
前記貫通孔の下端部が接着剤の注入孔として用いられることを特徴とする請求項２から請求項７のいずれかに記載の光ピックアップ。
【請求項９】
前記対物レンズホルダには側面より前記貫通孔に接続する接着剤注入孔が形成されていることを特徴とする請求項２から請求項７のいずれかに記載の光ピックアップ。
【請求項１０】
前記対物レンズホルダが弾性支持部材にて支持されるとともに、前記弾性支持部材にて該対物レンズホルダを駆動するために備えられたトラッキングコイル及びフォーカスコイルに電力が供給されることを特徴とする請求項２から請求項９のいずれかに記載の光ピックアップ。
【請求項１１】
前記対物レンズホルダが該対物レンズホルダを貫通する回転軸にて摺動可能且つ回動可能に支持されていることを特徴とする請求項２から請求項９のいずれかに記載の光ピックアップ。
【請求項１２】
ＣＤ、ＤＶＤ及びＢＤのうち少なくとも２種類の光ディスクメディアの記録／再生を行うことのできる光ピックアップ。
【発明の詳細な説明】
【技術分野】
【０００１】
本発明は、情報の再生又は記録のために光ディスクにレーザ光を照射する光ピックアップに関し、特に、開口数の異なるレンズを備え、ＣＤ、ＤＶＤ、ＢＤの記録又は再生を行うための光ピックアップに関するものである。
【背景技術】
【０００２】
光ディスク装置では光ピックアップより記録媒体である光ディスクにレーザ光を照射することで、データの記録又は再生を行っている。前記光ディスク装置がＣＤ（Ｃｏｍｐａｃｔ  Ｄｉｓｃ）メディア、ＤＶＤ（Ｄｉｇｉｔａｌ  Ｖｅｒｓａｔｉｌｅ  Ｄｉｓｃ）メディアを再生することができるものの場合、前記光ピックアップにはＣＤ用の赤外レーザ（約７８０ｎｍ）、ＤＶＤ用の赤色レーザ（約６５０ｎｍ）を出射するレーザ光源が備えられている。また、光ピックアップにはレーザ光を収束させレーザスポットとして、光ディスクの記録面に照射させる対物レンズが備えられている。レーザスポットの直径はレーザ光の波長に比例し、対物レンズの開口数（ＮＡ）に反比例する。ＣＤメディアとＤＶＤメディアではトラックの幅が異なるので、異なる対物レンズが必要であるが、対物レンズの形状を改めることで、ＣＤメディアとＤＶＤメディアの両方に対応する対物レンズとすることができる。
【０００３】
また、光ピックアップでは、光ディスクからの反射光を検出することで、該光ディスク上でのレーザスポットの位置を検出したり、データを読み出したりしている。このため、レーザ光の光軸と前記光ディスクの記録面とのなす角（チルト角）が常に一定の角度（多くの場合直角）になるように、該光ディスクにレーザ光を照射しなくてはならない。
【０００４】
そこで、特開平７−５７２７３号公報に記載の発明では、対物レンズ支持部と対面する対物レンズ下面に球面座を設けて対物レンズを光軸方向に交差する面内において回転可能とし、前記対物レンズの光軸の傾き（チルト角）調整を行っている。
【０００５】
特開昭６２−１７００２８号公報に記載の発明では、対物レンズが固定され、該対物レンズを駆動するためのアクチュエータの光ピックアップ本体への取り付け角度を、該光ピックアップ本体に形成された突部と、前記アクチュエータと前記光ピックアップとの間に配置されるスペーサを利用して、前記アクチュエータの前記光ピックアップに対する傾きを調整することで、前記対物レンズの光軸の傾き（チルト角）調整を行っている。
【０００６】
特開２００３−２７２１９８号公報に記載の発明では、光ピックアップが対物レンズを保持する対物レンズホルダと、対物レンズホルダが摺動可能に支持される軸部と、軸部が支持されるアクチュエータベースと、前記アクチュエータベースとフレームとの間に配置されるばねとを有しており、前記アクチュエータベースに備えられた調整ねじを調整することで、アクチュエータベースとフレームとの角を調整し、それにより対物レンズの傾き調整を行っている。
【０００７】
また最近では、ＤＶＤよりも記憶容量の大きなＢＤ（Ｂｌｕ−Ｒａｙ  Ｄｉｓｃ）も登場してきている。ＢＤは記録密度がＤＶＤよりも高いのでのトラックの幅がＤＶＤのトラック幅に対し非常に小さく、レーザスポットも小径にする必要がある。そこで、ＢＤの記録、再生を行うために前記赤外レーザ、前記赤色レーザより短波長の青色レーザ（約４０５ｎｍ）を出射するレーザ光源が用いられている。
【０００８】
一方、前記ＣＤ、ＤＶＤ用の対物レンズではＮＡが小さくて、青色レーザを十分に収束させることができず、ＢＤの記録、再生を正確に行うことができない。また、ＢＤ用の対物レンズを用いても赤外レーザや赤色レーザをうまく収束させることができない。そこで、対物レンズを保持するレンズホルダに、ＣＤ／ＤＶＤ用の対物レンズとＢＤ用の対物レンズＮＡの異なる２個の対物レンズを配置するものが提案されている。
【０００９】
このように、異なるＮＡを有する対物レンズを２個備える光ピックアップを使用することで、異なるトラック幅を有する光ディスクの記録面に最適なレーザスポットを収束させることができ、記録、再生を精度よく行うことが可能である。
【００１０】
前記２個の異なる対物レンズを備えた光ピックアップの場合、各対物レンズの製造誤差や対物レンズホルダへの組み付け誤差等の発生によって、対物レンズのチルト角が異なる場合がある。この状態で、特開昭６２−１７００２８号公報、特開２００３−２７２１９８号公報等に記載の方法で一方の対物レンズのチルト角に合わせて、レーザ光の光軸と光ディスクの記録面とが直交するように光ピックアップを調整しても、他方の対物レンズより出射されるレーザ光の軸が光ディスクの記録面と直交するとは限らない。なぜなら、対物レンズのレンズホルダへの取付時の傾き誤差や、取付部分の形状誤差等が、両方の対物レンズに対して同一であるとは限らないからである。
【００１１】
そこで、特開平９−２３０１１１号公報には、２個の対物レンズを一体成型にて形成するものが示されている。２個の対物レンズを一体成型にて形成することで、前記対物レンズとレンズホルダの傾き誤差、前記レンズホルダの取り付け部分の形状誤差による、両方の対物レンズのチルト角の誤差の発生を抑制している。
【００１２】
【特許文献１】特開平７−５７２７３号公報
【特許文献２】特開昭６２−１７００２８号公報
【特許文献３】特開２００３−２７２１９８号公報
【特許文献４】特開平９−２３０１１１号公報
【発明の開示】
【発明が解決しようとする課題】
【００１３】
しかしながら、特開平９−２３０１１１号公報に記載の発明ように、異なるＮＡを有する対物レンズを一体に成型するものの場合、成型の条件、成型後の加工条件によって、両方の対物レンズの光軸の傾きが異なる不具合が発生する場合がある。この場合、２個の対物レンズを一体に成型しているので、それぞれ独立してチルト角度の調整を行うことができず、成型の精度を高める必要があり、レンズ及び光ピックアップの製造コストが大きくなってしまう。
【００１４】
また、特開平７−５７２７３号公報に記載の発明のような、対物レンズのみを調整する機構を利用して、２個の対物レンズそれぞれを調整するものも考えられるが、対物レンズの調整機構を備える場合、対物レンズ及び対物レンズ取付部の球面座を形成しなくてはならず、対物レンズ及び光ピックアップの製造コストが大きくなってしまう。また、調整機構を複数備えることで、光ピックアップの構造が複雑になり、レンズホルダの重量が増し、組み立て、調整に手間と時間がかかる。
【００１５】
そこで本発明は、上述した問題に鑑みてなされたものであり、２個の異なるＮＡの対物レンズを備えた光ピックアップであって、両方の対物レンズの光軸のずれを、簡単な操作で調整することができる光ピックアップを提供することを目的とする。
【００１６】
また本発明は、上述した問題に鑑みてなされたものであり、２個の異なるＮＡの対物レンズを備えた光ピックアップであって、対物レンズ及び対物レンズホルダに製造及び（又は）組み立て時の誤差が生じても、ＣＤ、ＤＶＤ、ＢＤ等の複数の光ディスクメディアの記録／再生の精度を高めることができる光ピックアップを提供することを目的とする。
【課題を解決するための手段】
【００１７】
上記目的を達成するため本発明は、異なる開口数を有する２個の対物レンズと、前記２個の対物レンズが保持された対物レンズホルダとを有する光ピックアップであって、前記対物レンズホルダは下面から上面に貫通し、上部に前記２個の対物レンズが離れて取り付けられている２個の取付孔を有しており、一方の取付孔には該取付孔に取り付けられる対物レンズの下面を支持するとともに、該対物レンズの角度を調整するチルト量調整機構が備えられており、前記チルト量調整機構は、１個の固定型レンズ受け部と、前記取付孔に沿った方向に摺動する複数個の可動型レンズ受け部とを有しており、前記可動型レンズ受け部は、前記レンズホルダの下面から前記一方の取付孔の上部に貫通する貫通孔と、前記貫通孔に摺動可能に内挿された柱状部材とを有しており、前記柱状部材は接着剤にて固定されることを特徴とする。
【００１８】
この構成によると、柱状部材を摺動させることで対物レンズのチルト量の調整を容易に行うことが可能である。一方の取付孔に配置された対物レンズのチルト量のみを調整するので、チルト量の調整の手間を削減することができ、それだけ、光ピックアップの製造及び組み立てにかかる手間と時間を削減することができる。
【００１９】
また、一方の取付孔に取り付けられた対物レンズのチルト量を調整することができるので、一方の取付孔及び該一方の取付孔に取り付けられた対物レンズの取り付け部の精度及び他方の取付孔及び該他方の取付孔に取り付けられた対物レンズの取り付け部の精度が高くなくても、各対物レンズのチルト量を同じ又はほぼ同じに調整することができるので、異なる種類（ＣＤ、ＤＶＤ、ＢＤ）の光ディスクメディアの記録／再生を精度よく行うことが可能である。
【００２０】
上記構成において、前記チルト量調整機構が１個の固定型レンズ受け部と、２個の可動型レンズ受け部とを有しているものであってもよい。１点を固定しておき、２点の高さを調整することで、前記対物レンズの光軸を３次元的に傾けることができる。これにより、少ない調整点で、精度の良いチルト量の調整を行うことが可能である。
【００２１】
上記構成において、前記貫通孔が円筒形状であり、前記柱状部材は円柱形状を有しているものであってもよい。また、前記柱状部材が前記貫通孔に軽圧入されているものであってもよく、前記貫通孔の内周部に雌ねじが形成されており、前記柱状部材の外周部に雄ねじが形成されており、前記柱状部材が前記貫通孔と螺合されていてもよい。このとき、前記貫通孔の下端部が接着剤の注入孔として用いられていてもよい。
【００２２】
このように、柱状部材を軽圧入したり、螺合により係合させることで、対物レンズを仮に保持することができるとともに、容易に角度調整が可能である。このことにより、調整の手間及び時間を削減することができる。
【００２３】
上記構成において前記柱状部材が前記貫通孔に遊嵌されているものであってもよい。この場合、前記柱状部材は前記貫通孔に対して自重で下方に摺動してしまうので、冶具等を前記貫通孔の下方より挿入し柱状部材を支持するようにし、前記対物レンズのチルト量の調整が終了した後に、接着し、冶具を取り外すようにしてもよい。この場合、前記対物レンズを上から押さえることがないので、前記対物レンズに無理な力が付与して変形したり、破損したりする不具合の発生を抑制することができる。前記対物レンズホルダの側面より前記貫通孔に接続する接着剤注入孔が形成されていてもよい。この接着剤注入孔から接着剤を注入することで容易に前記柱状部材を前記貫通孔に固定することが可能である。
【００２４】
上記構成において、前記対物レンズホルダが弾性支持部材にて支持されるとともに、前記弾性支持部材にて該対物レンズホルダを駆動するために備えられたトラッキングコイル及びフォーカスコイルに電力が供給されるもの（いわゆるワイヤ支持型）であってもよく、前記対物レンズホルダが該対物レンズホルダを貫通する回転軸にて摺動可能且つ回動可能に支持されているもの（いわゆる軸摺動型）であってもよい。
【００２５】
上記構成において、記録／再生を行うことができるメディアとして、ＣＤメディア、ＤＶＤメディア及びＢＤメディアを挙げることができる。ＣＤメディアとは、ＣＤ−ＲＯＭ、ＣＤ−Ｒ、ＣＤ−ＲＷ等を含むものであり、ＤＶＤメディアとはＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ等を含むものである。
【００２６】
以上説明した光ディスク装置のさらに詳細な例は以下のように説明できる。赤外レーザ光を出射する赤外レーザ光源と、赤色レーザ光を出射する赤色レーザ光源と、青色レーザ光を出射する青色レーザ光源と、前記赤外レーザ光又は前記赤色レーザ光を収束させてＣＤメディア又はＤＶＤメディアの記録面に照射する第１対物レンズと、前記青色レーザ光を収束させてブルーレイディスクメディアの記録面に照射する第２対物レンズと、前記第１対物レンズと前記第２対物レンズを保持するとともにトラッキング方向、フォーカス方向に移動可能な対物レンズホルダと、前記対物レンズホルダを前記トラッキング方向に駆動する推力を発生するトラッキングコイルと、前記対物レンズホルダを前記フォーカス方向に駆動する推力を発生するフォーカスコイルと、前記対物レンズホルダを弾性支持するとともに前記トラッキングコイル及び前記フォーカスコイルに電力を供給する弾性支持部材とを備えた光ピックアップであって、前記対物レンズホルダは、下面から上面に貫通し上部に前記第１対物レンズが取り付けられる第１取付孔と、下面から上面に貫通し上部に前記第２対物レンズが取り付けられる第２取付孔とを有しており、前記第１取付孔は前記第１対物レンズの下面を支持するとともに、該第１対物レンズのチルト角を調整するチルト量調整機構を有しており、前記チルト量調整機構は前記第１取付孔の内周面に突出するように固定された１個の固定型レンズ受け部と、前記固定レンズ受け部から等中心角度離れた位置に配置され、前記第１取付孔に沿う方向に摺動可能な２個の可動型レンズ受け部とを有しており、前記可動型レンズ受け部は前記レンズホルダの下面から前記第１取付孔の上部に貫通する円筒形状の貫通孔と、前記貫通孔に軽圧入された円柱部材を有しており、前記貫通孔には、前記円柱部材を下方から固定する接着剤が設けられていることを特徴とする。
【発明の効果】
【００２７】
本発明によると、２個の異なるＮＡの対物レンズを備えた光ピックアップであって、両方の対物レンズの光軸のずれを、簡単な操作で調整することができる光ピックアップを提供することができる。
【００２８】
また本発明によると、２個の異なるＮＡの対物レンズを備えた光ピックアップであって、対物レンズ及び対物レンズホルダに製造及び（又は）組み立て時の誤差が生じても、ＣＤ、ＤＶＤ、ＢＤ等の複数の光ディスクメディアの記録／再生の精度を高めることができる光ピックアップを提供することができる。
【発明を実施するための最良の形態】
【００２９】
以下に本発明の実施形態を図面を参照して説明する。図１は本発明にかかる光ピックアップの一例の構成を示す配置図である。図１に示す光ピックアップＡは本体１と、対物レンズを駆動するアクチュエータ２とを備えている。図１に示す光ピックアップＡはＣＤメディア又はＤＶＤメディアの記録／再生を行うための第１光学系３と、ＢＤの記録／再生を行うための第２光学系４とを備えている。図１に示す光ピックアップでは、便宜上、赤外レーザの光路を一点鎖線で、赤色レーザの光路を実線で表示している。また、青色レーザの光路に関しても実線で表示している。ここで、ＣＤメディアとは、ＣＤ−ＲＯＭ、ＣＤ−Ｒ、ＣＤ−ＲＷ等を含み、ＤＶＤメディアとは、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ等を含むものである。
【００３０】
第１光学系３は少なくとも、赤外レーザ光源３１と、赤色レーザ光源３２と、ダイクロイックプリズム３３と、偏光ビームスプリッタ３４と、コリメータレンズ３５と、立ち上げミラー３６と、１／４波長板３７と、第１対物レンズ３８と、センサレンズ３９と、受光素子Ｐｄ１とを備えている。
【００３１】
赤外レーザ光源３１は波長が約７８０ｎｍの赤外レーザ光を出射するものであり、ＣＤメディアの記録／再生に利用されるものである。赤色レーザ光源は波長が約６５０ｎｍの赤色レーザ光を出射するものであり、ＤＶＤメディアの記録／再生に利用されるものである。ダイクロイックプリズム３３は、赤外領域の波長の光を透過させ、赤色領域の波長の光を反射するプリズムである。すなわち赤外レーザ光源３１より出射されたレーザ光はダイクロイックプリズム３３を透過し、赤色レーザ光源３２はダイクロイックプリズム３３の反射面で反射してダイクロイックプリズム３３より出射される。本発明のダイクロイックプリズムは赤外レーザ光が透過し、赤色レーザ光が反射されるものを採用しているが、それに限定されるものではない。
【００３２】
偏光ビームスプリッタ３４は、入射されたレーザ光の偏光方向によって透過又は反射させるプリズムである。本発明では、赤外レーザ光源３１及び赤色レーザ光源３２より出射され、偏光ビームスプリッタ３４に入射したレーザ光は透過し、ＣＤメディア又はＤＶＤメディアの記録面で反射したレーザ光は偏光ビームスプリッタ３４で反射される。コリメータレンズ３５は、点光源である赤外レーザ光源３１又は赤色レーザ光源３２より出射された拡散光であるレーザ光を平行光に変換する。コリメータレンズ３５より出射されたレーザ光は立ち上げミラー３６にて直交する方向に反射される。これにより、レーザ光の光路はＣＤメディア又はＤＶＤメディアの記録層に直交する方向に変更される。
【００３３】
１／４波長板３７は入射する直線偏光の光を円偏光に、円偏光の光を直線偏光に変換するものである。第１対物レンズ３８は、非球面レンズが採用されている。第１対物レンズ３８は赤外レーザ光を収束させレーザスポットとしてＣＤメディアの記録面に、赤色レーザ光を収束させレーザスポットとしてＤＶＤメディアの記録面に照射させることができる。
【００３４】
ＣＤメディア又はＤＶＤメディアの記録面で反射されたレーザ光は再度１／４波長板３７に入射する。このとき、反射されたレーザ光は円偏光から直線偏光に変換される。この直線偏光に変換されたレーザ光の偏光方向は、赤外レーザ光源又は赤色レーザ光源より出射されたレーザ光の偏光方向に対して直交する。これにより、偏光ビームスプリッタ３４ではレーザ光は透過せずに反射し、センサレンズ３９を介して受光素子Ｐｄ１に入射する。受光素子Ｐｄ１では、入射したレーザ光を電気信号に変換し、出力信号として記録／再生に利用する。
【００３５】
第２光学系４は少なくとも、青色レーザ光源４１と、偏光ビームスプリッタ４４と、コリメータレンズ４５と、立ち上げミラー４６と、１／４波長板４７と、第２対物レンズ４８と、センサレンズ４９と、受光素子Ｐｄ２とを備えている。第２光学系４は、レーザ光源として波長が約４０５ｎｍの青色レーザ光を出射する青色レーザ光源４１、対物レンズとして第２対物レンズ４８を備えており、ダイクロイックプリズム３３を備えていない点が異なるが、それ以外は第１光学系３と実質上同じ部材を備えており、詳細は省略する。
【００３６】
上述した光学部材のうち第１光学系３の第１対物レンズ３８と第２光学系４の第２対物レンズ４８とはアクチュエータ２に配置される。アクチュエータ２は本体１に取り付けられている。
【００３７】
図２は本発明にかかる光ピックアップに備えられたアクチュエータの一例の平面図であり、図３は図２に示すアクチュエータの正面図であり、図４は図２に示すアクチュエータに用いられる対物レンズホルダの拡大斜視図である。アクチュエータ２はアクチュエータベース２１と、永久磁石２２と、支持部材２３と、第１対物レンズ３８及び第２対物レンズ４８を保持する対物レンズホルダ２４と、電力基板２５と、ワイヤばね２６とを有している。図中Ｔａは光ディスクメディア（ＣＤメディア、ＤＶＤメディア、ＢＤメディア）のタンジェンシャル方向（周方向）、Ｒａはラジアル方向（径方向）である。図２、図４に示すように、光ピックアップＡでは、第１対物レンズ３８と第２対物レンズ４８はＴａ方向に並んで配置される。
【００３８】
アクチュエータベース２１は金属板の打ち抜き、切り曲げによって形成されるものである。アクチュエータベース２１には、赤外レーザ光又は赤色レーザ光が通過する第１貫通孔２１１と、青色レーザ光が通過する第２貫通孔２１２と、永久磁石２２を保持するとともに、バックヨークとして作用する磁石保持部２１３とを備えている。永久磁石２２は対物レンズホルダ２４に磁界を作用させるものであり、それには限定されないがネオジウム磁石が採用されている。支持部材２３は樹脂製であり、アクチュエータベース２１に図示を省略したボルトを用いて強固に固定されている。また、ボルトに限定されるものではなく、はめ込み、溶着、接着等、アクチュエータベース２１から脱落しないように固定するものを広く採用することができる。
【００３９】
対物レンズホルダ２４は、下面から上面に貫通し、上面端部側に第１対物レンズ３８が取り付けられた第１対物レンズ取付孔２４１と、下面から上面に貫通し、上面端部側に第２対物レンズ４８が取り付けられた第２対物レンズ取付孔２４２と、対物レンズホルダ２４を光軸方向に摺動させるためのフォーカスコイル２４３と、対物レンズホルダ２４を光ディスクの径方向に摺動させるためのトラッキングコイル２４４と、フォーカスコイル２４３、トラッキングコイル２４４に電力を供給するための接続端子２４５とを有している。
【００４０】
電力基板２５はここでは屈曲性を有するＦＰＣ（Flexible Print Circuit）が採用されており、支持部材２３の約半分を覆うように接着されている。電力基板２５としてＦＰＣに限定されるものではなく、支持部材２３に安定して取り付けられるものを広く採用することができる。電力基板２５には電力を供給するための端子部２５１を備えている。
【００４１】
対物レンズホルダ２４はワイヤばね２６を介して、底部がアクチュエータベース２１と接触しないように支持部材２３に支持されている。ワイヤばね２６は導電性を有する弾性部材であり、対物レンズホルダ２４の接続端子２４５と接触するように取り付けられている。また、支持部材２３に取り付けられた電力基板２５の端子部２５１と接触している。このように、ワイヤばね２６を介して、端子部２５１と接続端子２４５が電気的に接続されており、電力基板２５よりワイヤばね２６を介して、フォーカスコイル２４３、トラッキングコイル２４４に電力を供給する。
【００４２】
対物レンズホルダ２４についてさらに詳しく説明する。図５は対物レンズホルダの対物レンズ取付部の断面図である。図５に示す対物レンズホルダ２４では、第２レンズ取付孔２４２の取付部が誤差等によって傾いており、第２対物レンズ４８は光軸が傾いた状態で取り付けられている。図５では、図面上視認が容易なように、実際よりも大きく傾いている。図５に示すように、第１対物レンズ３８及び第２対物レンズ４８はその外周部にフランジ状の被支持部３８１及び４８１を備えている。
【００４３】
対物レンズホルダ２４は、ＣＤメディア又はＤＶＤメディアの記録／再生用の第１対物レンズ３８とＢＤメディアの記録／再生用の第２対物レンズ４８とが取り付けられている。第２対物レンズ４８は第１対物レンズ３８に比べて開口数（ＮＡ）の大きなもの（ＮＡ＝０．８５）が採用されており、焦点距離が短い。そのため、図４、図５等に示すように、第２対物レンズ４８の取り付け位置が第１対物レンズ３８の取り付け位置よりも光ディスクに近くなるように、第１レンズ取付孔２４１及び第２レンズ取付孔２４２が形成されている。
【００４４】
図５に示すように、第２レンズ取付孔２４２は第２対物レンズ４８を内挿することができるように、段つき円筒部２４２１が形成されている。第２レンズ取付孔２４２の段つき円筒部２４２１に第２対物レンズ４８の被支持部４８１を係合させて、段つき円筒部２４２１と被支持部４８１とを接着剤にて接着する。このとき、図示は省略しているが段つき円筒部２４２１の上端部には接着剤を注入するための注入凹部が形成されており、この注入凹部に接着剤を注入することで被支持部４８１の側周部と段つき円筒部２４２１とを接着にて固定する。接着剤としては、第２対物レンズ４８を段つき円筒部２４２１に強固に取り付けることができるとともに、硬化条件（熱等）や硬化時の収縮による応力によって、第２対物レンズ４８の変形、破損等の不具合が発生しにくいものが好ましい。それには限定されないが、ここでは、紫外線硬化型の接着剤が採用されている。
【００４５】
図６（Ａ）は第１対物レンズ取付孔の平面図であり、図６（Ｂ）は図６（Ａ）に示す第１対物レンズ取付孔のＸ−Ｘ断面図である。図６に示すように、第１対物レンズ取付孔２４１は第１対物レンズ３８が内挿できるように段つき円筒部２４１１が形成されている。第１対物レンズ取付孔２４１の上部には、第１対物レンズ３８の被支持部３８１の下面を支持する１個の固定型レンズ受け部２４６と、２個の可動型レンズ受け部２４７とを備えている。固定型レンズ受け部２４６は第１対物レンズ取付孔２４１の内周面より突出している。可動型レンズ受け部２４７は第１レンズ取付孔２４１に沿って延び、対物レンズホルダ２４の下面から第１レンズ取付孔２４１の上面側に貫通する円筒形状の貫通孔２４７１と、貫通孔２４７１に自重によって摺動しない程度に嵌合された円柱状の柱状部材２４７２とを有している。貫通孔２４７１は段つき円筒部２４１１内に形成されており、上部の一部が第1対物レンズ取付孔２４１に開放されている。
【００４６】
図７は第１対物レンズの調整状態を示す断面図である。第１対物レンズ３８を第１取付孔２４１に取り付けるとき、まず、柱状部材２４７２を貫通孔２４７１の上部に形成された開放されている部分より突出させ、上部より第１対物レンズ３８を内挿する。このとき、柱状部材２４７２は固定型レンズ受け部２４６よりも上方に突出した状態で配置されている。内挿された対物レンズ３８は、被支持部３８１を固定型レンズ受け部２４６と、柱状部材２４７２とで下方より支持されている。その後、対物レンズ３８の被支持部３８１の上部を冶具５を用いて押す。柱状部材２４７２は被支持部３８１に押されて、貫通孔２４７１の内部方向に摺動する。押す場所、押す量を適度に調整することで、第１対物レンズ３８はその光軸を傾ける、すなわちチルト量の調整を行うことが可能である。第１対物レンズ３８のチルト量の調整が終了すると、貫通孔２４７１の下部より接着剤を注入し、柱状部材２４７２を接着固定する。また、段つき円筒部２４１１に形成された接着材注入用の接着凹部（図示省略）に接着剤を注入し、第１対物レンズ３８を第１対物レンズ取付孔２４１に接着固定する。このとき、貫通孔２４７１の上部の段つき円筒部２４１１に形成された凹部に接着剤を注入し固定するものであってもよい。このばあい、上部より円柱部材２４７２も同時に固定することができるので、より安定的に第１対物レンズ３８を固定することが可能である。
【００４７】
ここで、第１対物レンズ３８の傾き（チルト量）は、第２対物レンズ取付孔２４２に固定された第２対物レンズ４８のチルト量と同じになるように調整される。これにより、対物レンズホルダ２４を取り付けたアクチュエータ２を光ピックアップＡの本体１に取り付けるときに、第２対物レンズ４８の光軸がＢＤメディアの記録面に直交するように取り付けることで、第１対物レンズ３８の光軸もＣＤメディア又はＤＶＤメディアの記録面と直交する。これにより、第１対物レンズ３８のチルト量のずれによるコマ収差の発生を低減することができる。
【００４８】
第１対物レンズ３８のチルト量を調整するときには、第１対物レンズ３８及び第２対物レンズ４８にオートコリメータにより調整用の光を照射し、コバ面からの反射光を受光することで行うものを採用することができる。
【００４９】
このように、第１対物レンズ３８のチルト量を第２対物レンズ４８のチルト量と同じ又はほぼ同じになるように調整することで、赤外レーザ光、赤色レーザ光及び青色レーザ光の光軸が平行になる。これにより、第２対物レンズ４８を出射したアクチュエータ２を青色レーザ光がＢＤメディアの記録面と直交するように配置することで、第１対物レンズ３８より出射される赤外レーザ光がＣＤメディアに赤色レーザ光がＤＶＤメディアの記録面に直交又はほぼ直交するように照射される。これにより、アクチュエータ２を第２対物レンズ４８のチルト量にあわせて設置するだけで、第１対物レンズ３８もＣＤメディア、ＤＶＤメディアに対して適切なチルト量となるので、アクチュエータ２の調整だけでＢＤ、ＤＶＤ、ＣＤに対応することが可能である。このことは、組み立て、調整に必要な手間と時間を減らすことができ、それだけ、製造、組み立てにかかるコストを削減することができる。
【００５０】
また、第１対物レンズ３８のチルト量を調整することができるので、第１対物レンズ３８の被保持部３８１、第２対物レンズ４８の被保持部４８１、第１対物レンズ取付孔２４１及び第２対物レンズ取付孔２４２の加工を極めて高い精度を維持して行う必要がないので、製造、組み立てのコストを大幅に削減することが可能である。
【００５１】
また、図８に示すように、第１対物レンズ取付孔２４１の柱状部材２４７３が貫通孔２４７１に遊嵌されており、側面から貫通孔２４７１に接続する接着剤注入孔２４８を備えていてもよい。さらに、柱状部材２４７３は自重によって貫通孔２４７１内を下方に向かって摺動するので、冶具６を貫通孔２４７１の下方側より挿通し、柱状部材２４７３を支持させる。
【００５２】
第１対物レンズ取付孔２４１に第１対物レンズ３８を配置した後に、冶具６を操作し、第１対物レンズ３８の下面を柱状部材２４７３で押して第１対物レンズ３８のチルト量が第２対物レンズ４８のチルト量が同じ又はほぼ同じになるように調整する。第１対物レンズ３８の調整が終了すると、接着剤注入孔２４８より接着剤を注入し、柱状部材２４７３を貫通孔２４７１に接着固定する。また、第１対物レンズ取付孔２４１の上面に形成された接着剤注入用の接着凹部（不図示）に接着剤を注入し、第１対物レンズ３８を第１対物レンズ取付孔２４１に固定する。接着完了後、貫通孔２４７１より冶具６を抜き出し、第１対物レンズ３８の第１対物レンズ取付孔２４１への取付を完了する。
【００５３】
また、図９に示すように柱状部材２４７６の外周面に雄ねじ２４７７を形成し、貫通孔２４７４の内周面に雌ねじ２４７５を形成しておき、柱状部材２４７６を貫通孔２４７４に螺合させて係止させるものであってもよい。なお、図９において、柱状部材２４７６には便宜上ハッチングを施している。この場合、柱状部材２４７６は回動されることで、貫通孔２４７４に沿う方向に上下動することができるとともに、微調整が容易である。
【００５４】
図１０は本発明にかかる光ピックアップに用いられるアクチュエータの他の例の平面図であり、図１１は図１０に示すアクチュエータの断面図であり、図１２は図１０に示すアクチュエータに用いられる対物レンズホルダの斜視図である。図１０及び図１１に示すアクチュエータ７は、アクチュエータベース７１に取り付けられたシャフト７３に摺動可能且つ回動可能に取り付けられている。
【００５５】
図１０、図１１に示すアクチュエータ７は、アクチュエータベース７１と、永久磁石７２と、シャフト７３と、第１対物レンズ３８及び第２対物レンズ４８を保持する対物レンズホルダ７４と、トラッキングコイル７５と、フォーカスコイル７６とを有している。図中Ｔａは光ディスクメディア（ＣＤメディア、ＤＶＤメディア、ＢＤメディア）のタンジェンシャル方向（径方向であり、Ｒａはラジアル方向（周方向）である。図９、図１１に示すように、アクチュエータ７では、第１対物レンズ３８及び第２対物レンズ４８はＴａ方向に並んで配置されている。
【００５６】
アクチュエータベース７１は平面視矩形状を有しており、底部７１１と、底部７１１の周囲から底部７１１と垂直に立ち上がる立ち上がり部７１２とを有している。底部７１１の略中央部には立ち上がり部７１２と同じ方向に突出する円筒形状のシャフト７３が立設されている。立ち上がり部７１２には、シャフト７１３を挟んで対向して配置される２個の永久磁石７２とを有している（永久磁石は２個に限定されるものではない）。
【００５７】
図１２に示すように対物レンズホルダ７４は、第１対物レンズ３８が取り付けられる第１対物レンズ取付孔７４１と、第２対物レンズ４８が取り付けられる第２対物レンズ取付孔７４２と、本体の略中央を貫通し、シャフト７３が内部を貫通する軸孔７４３と、軸孔７４３を囲むように配置されるフォーカスコイル７６と、側面に軸孔７４３を挟んで対面して配置されるトラッキングコイル７５と、フォーカスコイル７６の下面に配置される磁性板（不図示）とを有している。第１対物レンズ取付孔７４１の第１対物レンズ３８のチルト量の調整機構は、図６、図８、図９に示すいずれの構造も採用することができる。詳細は省略する。
【００５８】
上述の各実施例では、ＣＤメディア及びＤＶＤメディアの記録／再生に用いられる対物レンズを第１対物レンズ３８とし、ＢＤメディアの記録／再生に用いられる対物レンズを第２対物レンズ４８として、第２対物レンズ４８を固定しておき、第１対物レンズ３８のチルト量を調整するものが採用されているが、それに限定されるものではなく、逆に第１対物レンズ３８を固定しておき、第２対物レンズ４８のチルト量を調整するものであってもよい。しかしながら、チルト量の変化に敏感な（コマ収差の発生しやすい）ＢＤメディア用の対物レンズ（ここでは第２対物レンズ４８）を固定し、チルト量の変化にはあまり敏感ではないＣＤ／ＤＶＤ用の対物レンズ（ここでは第１対物レンズ）を第２対物レンズ４８にあわせて調整するほうが好ましい。
【００５９】
上述の各実施例では、ＣＤメディア及び（又は）ＤＶＤメディアの記録／再生を行う第１光学系と、ＢＤメディアの記録／再生を行う第２光学系とが互いに独立して形成されているものを示しているが、それに限定されるものではなく、一部（たとえば偏光ビームスプリッタから１／４波長板まで）を共用するように構成してもよい。この場合、１／４波長板を通過したレーザ光を分光し、赤外レーザ光、赤色レーザ光は第１対物レンズに、青色レーザ光は第２対物レンズに入射させる部材が必要であるが、共用化により、光ピックアップを小型化することができるとともに、部材点数を減らすことができ、組み立て及び調整に要する手間と時間を減らすことができ、製造コストを低減することが可能である。また、青色レーザ光とＤＶＤメディアと同じ開口数の対物レンズを用いるＡＯＤ（Ａｄｖａｎｃｅｄ  Ｏｐｔｉｃａｌ  Ｄｉｓｃ）の記録／再生にも利用することが可能である。
【００６０】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００６１】
本発明は、ＤＶＤ、ＣＤ、ＢＤ等の光ディスクを記録媒体とする光ディスク装置において適用することができる。
【図面の簡単な説明】
【００６２】
【図１】本発明にかかる光ピックアップの一例の構成を示す配置図である。
【図２】本発明にかかる光ピックアップに備えられたアクチュエータの一例の平面図である。
【図３】図２に示すアクチュエータの正面図である。
【図４】図２に示すアクチュエータに用いられる対物レンズホルダの拡大斜視図である。
【図５】対物レンズホルダの対物レンズ取付部の断面図である。
【図６】図Ａは第１対物レンズ取付孔の平面図であり、図Ｂは図Ａに示す第１対物レンズ取付孔のＸ−Ｘ断面図である。
【図７】第１対物レンズの調整状態を示す断面図である。
【図８】第１対物レンズ取付孔の他の例の断面図である。
【図９】第１対物レンズ取付孔のさらに他の例の断面図である。
【図１０】本発明にかかる光ピックアップに用いられるアクチュエータの他の例の平面図である。
【図１１】図１０に示すアクチュエータの断面図である。
【図１２】図１０に示すアクチュエータに用いられる対物レンズホルダの斜視図である。
【符号の説明】
【００６３】
Ａ  光ピックアップ
１  本体
２  アクチュエータ
２１  アクチュエータベース
２２  永久磁石
２３  支持部材
２４  対物レンズホルダ
２４１  第１対物レンズ取付孔
２４２  第２対物レンズ取付孔
２４３  フォーカスコイル
２４４  トラッキングコイル
２４５  接続端子
２４６  固定型レンズ受け部
２４７  可動型レンズ受け部
２４７１  貫通孔
２４７２  柱状部材
２４８  接着剤注入孔
２５  電力基板
２６  ワイヤばね
３  第１光学系
３１  赤外レーザ光源
３２  赤色レーザ光源
３３  ダイクロイックプリズム
３４  偏光ビームスプリッタ
３５  コリメータレンズ
３６  立ち上げミラー
３７  １／４波長板
３８  第１対物レンズ
３９  センサレンズ
４  第２光学系
４１  青色レーザ光源
４４  偏光ビームスプリッタ
４５  コリメータレンズ
４６  立ち上げミラー
４７  １／４波長板
４８  第２対物レンズ
４９  センサレンズ
５  冶具
６  冶具
７  アクチュエータ
７１  アクチュエータベース
７２  永久磁石
７３  シャフト
７４  レンズホルダ
７４１  第１対物レンズ取付孔
７４２  第２対物レンズ取付孔
７４３  軸孔
７４４  フォーカスコイル
７４５  トラッキングコイル
【図１】
2008090945.tif 000003
【図２】
2008090945.tif 000004
【図３】
2008090945.tif 000005
【図４】
2008090945.tif 000006
【図５】
2008090945.tif 000007
【図６】
2008090945.tif 000008
【図７】
2008090945.tif 000009
【図８】
2008090945.tif 000010
【図９】
2008090945.tif 000011
【図１０】
2008090945.tif 000012
【図１１】
2008090945.tif 000013
【図１２】
2008090945.tif 000014